(57)【要約】【課題】フロアマットの粘着性インサートのための改良された取り外しタブ【解決手段】フローマットの粘着性インサートのための改良された取り外しタブが開示されている。この取り外しタブは、滑らかでないテクスチャを有し、セパレータによって近接したタブからオフセットされ、異なる大きさに作られ、そうでない場合、多量のインサートから個々のインサートの容易な処理および取り外しを可能にするように形成されることができる。
2005511183.tif 000002
【特許請求の範囲】
【請求項１】
粘着性エリアと非粘着性エリアとを具備するフロアマットインサートであって、この非粘着性エリアの一部が、インサートを取り扱うタブとして形成され、このタブの表面は、滑らかでないテクスチャを含む、フロアマットインサート。
【請求項２】
前記滑らかでないテクスチャは、任意の形状の複数の突出部によって形成されている請求項１に記載のフロアマットインサート。
【請求項３】
前記滑らかでないテクスチャは、前記タブの表面に接着さた粒子によって形成されている請求項１に記載のフロアマットインサート。
【請求項４】
前記滑らかでないテクスチャは、第１のタブが第２のタブとほぼ整列されるように該第２のタブの上に配置されている場合、これらタブの滑らかでないテクスチャが、互いにオフセットされるように形成されている請求項１に記載のフロアマットインサート。
【請求項５】
フロアマットの凹部内に受容されるように構成されたインサートであって、このインサートの表面は、粘着性エリアと非粘着性エリアとを含み、前記非粘着性エリアの一部が、前記インサートを取り扱うタブとして形成され、前記タブの表面が、隆起したエリアを含むインサート。
【請求項６】
前記隆起したエリアは、規則的なパターンに配置されているバンプである請求項５に記載のインサート。
【請求項７】
前記バンプは、矩形である請求項６に記載のインサート。
【請求項８】
前記バンプは、円形である請求項６に記載のインサート。
【請求項９】
前記隆起したエリアは、ランダムに配置されている請求項５に記載のインサート。
【請求項１０】
前記隆起したエリアは、第１のタブが第２のタブとほぼ整列されるように該第２のタブの上に配置されている場合、前記それぞれのタブの隆起したエリアが、互いにオフセットされている請求項５に記載のインサート。
【請求項１１】
フロアマットの凹部内に受容されるように構成されたインサートであって、このインサートの表面は、粘着性エリアと非粘着性エリアとを含み、この非粘着性エリアの一部は、前記インサートを取り扱うタブとして形成され、第１のタブが、第２のタブとほぼ整列されるように該第２のタブの上に配置されているとき、前記第１のタブの第２の部分が、前記第２のタブの第２の部分から分離されるように、前記タブの第１の部分が、前記タブの第２の部分よりも厚いインサート。
【請求項１２】
前記タブの第１の厚い部分は、タブ材料と前記タブ材料に加えられるセパレータ材料とから形成されている請求項１１に記載のインサート。
【請求項１３】
前記セパレータ材料は、ステープル、グロメット、またはリベットの１つである請求項１２に記載のインサート。
【請求項１４】
前記セパレータ材料は、前記タブを別のタブとの違いをつける目に見える指示部を含む請求項１１に記載のインサート。
【請求項１５】
（ａ）粘着性エリアと非粘着性エリアとを備えるフロアマットのためのインサートを形成することと、
（ｂ）前記インサートを取り扱うタブを前記非粘着性エリアの一部から形成することと、
（ｃ）前記タブの表面に滑らかでないテクスチャを形成することと、
を具備する方法。
【請求項１６】
前記（ｃ）は、テクスチャード加工のホットローラを前記タブの材料に適用することを有する請求項１５に記載の方法。
【請求項１７】
前記（ｃ）は、前記タブの材料を圧縮することを有する請求項１５に記載の方法。
【請求項１８】
前記滑らかでないテクスチャは、第１のタブが、第２のタブとほぼ整列されるように該第２のタブの上に配置されているとき、前記それぞれのタブの滑らかでないテクスチャが、互いにオフセットされるように形成される請求項１５に記載の方法。
【請求項１９】
（ａ）粘着性エリアと非粘着性エリアとを備えるフロアマットのためのインサートを形成することと、
（ｂ）前記インサートを取り扱うタブを前記非粘着性エリアの一部から形成することとを具備し、第１のタブが、第２のタブとほぼ整列されるように該第２のタブの上に配置されるとき、前記第１のタブの第２の部分が、前記第２のタブの第２の部分から分離されるように、前記タブの第１の部分が、前記タブの第２の部分よりも厚いことと、である方法。
【請求項２０】
前記タブの第１の厚い部分は、タブ材料と前記タブ材料に加えられるセパレータ材料とから形成される請求項１９に記載の方法。
【請求項２１】
フロアマットの凹部内に受容されるように構成されたインサートであって、前記インサートの表面は、粘着性エリアと非粘着性エリアとを含み、前記非粘着性エリアの一部が、前記インサートを取り扱うタブとして形成され、前記タブが、前記タブの外側縁部を越えて突出する延長部を有しているインサート。
【請求項２２】
前記延長部は、第１のタブが、第２のタブとほぼ整列されるように該第２のタブの上に配置されているとき、前記それぞれのタブの延長部が、互いにオフセットされている請求項２１に記載のインサート。
【請求項２３】
（ａ）それぞれが粘着性エリアと非粘着性エリアを備えるフロアマットのための第１のインサートと第２のインサートとを形成することと、
（ｂ）前記第１のインサートと第２のインサートとのための第１のタブと第２のタブそれぞれを前記それぞれの非粘着性エリアの一部から形成することであって、前記第１のタブおよび第２のタブが、類似の材料から形成され、ほぼ同じ厚さを有していることと、
（ｃ）第１の程度および期間の熱を前記第１のタブに加え、前記第１のものと異なる第２の程度および期間の熱を前記第２のタブに加えることと、
を具備する、フロアマットインサートのために可変サイズのタブを形成する方法。
【請求項２４】
（ａ）それぞれが粘着性エリアと非粘着性エリアを備えるフロアマットのための第１のインサートと第２のインサートとを形成することと、
（ｂ）前記第１のインサートと第２のインサートとのための第１のタブと第２のタブそれぞれを前記それぞれの非粘着性エリアの一部から形成することであって、前記第１のタブおよび第２のタブが、類似の材料から形成され、前記第１のタブが、第１の厚さを有し、前記第２のタブが、前記第１のものと異なる第２の厚さを有していることと、
（ｃ）同じ程度および期間の熱を前記第１のタブと第２のタブとに加えることと、
を具備する、フロアマットインサートのために可変サイズのタブを形成する方法。
【請求項２５】
（ａ）それぞれが粘着性エリアと非粘着性エリアを備えるフロアマットのための第１のインサートと第２のインサートとを形成することと、
（ｂ）前記第１のインサートと第２のインサートとのための第１のタブと第２のタブそれぞれを前記それぞれの非粘着性エリアの一部から形成することであって、前記第１のタブおよび第２のタブが、類似の材料から形成され、前記第１のタブが、第１のフィルム延伸性を有し、前記第２のタブが、前記第１のものと異なる第２のフィルム延伸性を有していることと、
（ｃ）同じ程度および期間の熱を前記第１のタブと第２のタブとに加えることと、
を具備する、フロアマットインサートのために可変サイズのタブを形成する方法。
【請求項２６】
（ａ）それぞれが粘着性エリアと非粘着性エリアを備えるフロアマットのための第１のインサートと第２のインサートとを形成することと、
（ｂ）前記第１のインサートと第２のインサートとのための第１のタブと第２のタブそれぞれを形成することであって、前記第１のタブが、第１の材料から形成され、前記第２のタブが、前記第１のものと異なる第２の材料から形成されることと、
（ｃ）同じ程度および期間の熱を前記第１のタブと第２のタブとに加えることと、
を具備する、フロアマットインサートのために可変サイズのタブを形成する方法。
【請求項２７】
（ａ）それぞれが粘着性エリアと非粘着性エリアを備えるフロアマットのための第１のインサートと第２のインサートとを形成することと、
（ｂ）前記第１のインサートと第２のインサートとのための第１のタブと第２のタブそれぞれを形成することであって、前記第１のタブおよび第２のタブが、異なる材料から形成されるが、ほぼ同じ厚さを有していることと、
（ｃ）第１の程度および期間の熱を前記第１のタブに、前記第１のものと異なる第２の程度および機関の熱を前記第２のタブに加えることと、
を具備する、フロアマットインサートのために可変サイズのタブを形成する方法。
【請求項２８】
（ａ）それぞれが粘着性エリアと非粘着性エリアを備えるフロアマットのための第１のインサートと第２のインサートとを形成することと、
（ｂ）前記第１のインサートと第２のインサートとのための第１のタブと第２のタブそれぞれを前記それぞれの非粘着性エリアの一部から形成することであって、前記第１のタブおよび第２のタブが、類似の材料から形成され、前記第１のタブが、第１の厚さを有し、前記第２のタブが、前記第１のものと異なる第２の厚さを有していることと、
（ｃ）第１の程度および期間の熱を前記第１のタブに加え、前記第１のものと異なる第２の程度および期間の熱を前記第２のタブに加えることと、
を具備する、フロアマットインサートのために可変サイズのタブを形成する方法。
【請求項２９】
フロアマットインサートのために可変サイズのタブを形成する方法であって、
（ａ）それぞれが粘着性エリアと非粘着性エリアを備えるフロアマットのための第１のインサートと第２のインサートとを形成することと、
（ｂ）前記第１のインサートと第２のインサートとのための第１のタブと第２のタブそれぞれを前記それぞれの非粘着性エリアの一部から形成することであって、前記第１のタブおよび第２のタブが、類似の材料から形成され、前記第１のタブが、第１のフィルム延伸性を有し、前記第２のタブが、前記第１のものと異なる第２のフィルム延伸性を有していることと、
（ｃ）第１の程度および期間の熱を前記第１のタブに加え、前記第１のものと異なる第２の程度および期間の熱を前記第２のタブに加えることと、
を具備する、フロアマットインサートのために可変サイズのタブを形成する方法。
【請求項３０】
フロアマットインサートのために可変サイズのタブを形成する方法であって、
（ａ）それぞれが粘着性エリアと非粘着性エリアを備えるフロアマットのための第１のインサートと第２のインサートとを形成することと、
（ｂ）前記第１のインサートと第２のインサートとのための第１のタブと第２のタブそれぞれを形成することであって、前記第１のタブおよび第２のタブが、異なる材料から形成され、前記第１のタブが、第１の厚さを有し、前記第２のタブが、前記第１のものと異なる第２の厚さを有していることと、
（ｃ）第１の程度および期間の熱を前記第１のタブに加え、前記第１のものと異なる第２の程度および期間の熱を前記第２のタブに加えることと、
を具備する、フロアマットインサートのために可変サイズのタブを形成する方法。
【発明の詳細な説明】
【技術分野】
【０００１】
本出願は、米国特許法第１１９（ｅ）条に基づき、２００２年１２月１２日出願の米国仮出願第６０／３３９，３１６号の恩典を請求する。さらにまた、本出願は、米国出願第０９／９３５，６７２号の一部継続出願である。米国出願第０９／９３５，６７２号は、２０００年１１月２日出願の国際出願第ＰＣＴ／ＵＳ００／３０２０６号の一部継続出願であり、これは、２０００年４月１９日出願の米国出願第０９／５５３，２３４の一部継続出願であり、米国特許第６，２３３，７７６号として２００１年５月２２日に発行された。出願第０９／５５３，２３４号は、１９９９年１０月１５日出願の米国出願第０９／４１８，７５２号の一部継続出願であり、これは、１９９９年５月４日出願の米国出願第０９／３０４，０５１の一部継続出願であり、米国特許第６，２１９，８７６号として２００１年４月２４日に発行された。前述の出願のすべては、参照によりここに完全に組み込まれる。
【０００２】
本発明は、フロアマットに関する。より詳細には、本発明は、クリーニング可能な部分を含むフロアマットを提供する。このフロアマットは、さらに、水消散コンポーネント、水吸収コンポーネント、緩衝コンポーネント、特別注文図形、透明なクリーニング可能な部分、このクリーニング可能部分の上の粘着性表面、抗菌加工の組成物、抗真菌組成物および芳香を含むことができる。このクリーニング可能部分は、侵食性でよく、複数のクリーニング可能な再利用できる層を含むことができる。粘着性表面がフロアマット内に含まれる場合、スリップ防止機構は、これの粘着性表面と一体にされることができ、起こり得る湿った粘着性の表面上でのスリップ防止に役に立つ。このうえ、センサシステムがフロアマット内に含まれることができ、使用者が、フロアマットをクリーニングする必要な時期を確認するのに役に立つ。
【背景技術】
【０００３】
特定のエリアまたは部屋に入ろうとする人の靴の底をきれいにするフロアマットは周知である。フロアマットに伴う１つの問題は一般に、この機能を行うときに、まさにこの本質から、それが意図的に汚される場合、人の靴をきれいにする機能を行うことができるように、フロアマットを十分にきれいに保つ方法である。
【０００４】
周知のフロアマットは、１つの、単一部片の材料から構成されることができる。これらの単一構造のフローマットは、例えば、フローマットを洗濯することによってきれいに保たれることができるのに対して、フロアマット全体は、洗濯のためにこれの位置から取り外され、従って、該フロアマットは、マット全体がクリーニングされる間、所望の場合、使用できないということが必要とされることがある。別の方法として、マットが、例えば、カーペットの敷いてあるエリアに位置される場合に、可能性がないその所でのクリーニングされることが可能であっても、その所でマットをクリーニングすることは不都合である。
【０００５】
Ａｍｏｓへの米国特許第３，７８５，１０２号は、個々のシートが汚された場合、該汚れたシートは取り外され、捨てられる複数の積み重ねた使い捨て可能なシートを備える使い捨てパッドを開示している。汚れたシートが処分された後に露呈される次のシートは、きれいであり、従って、きれいな表面が再度使用できる。しかしながら、使い捨て可能なシートのフロアマットを備えるということに伴う問題がある。それぞれの汚れたシートを処分することは、各シートが汚れた後に捨てられるので経済的でない。このうえ、いくらかの限定された数のシートが処分された後、シートがなく、従って効果的なクリーニング表面が使用することができない。
【０００６】
Ａｍｏｓへの米国特許第３，７８５，１０２号は、接着剤が各シートの頂部に施されることが可能であり、人の靴から汚れを取り除くために、この性能を改善することを開示している。しかしながら、この場合もやはり、これらのシートはクリーニングできず、それゆえ再利用できない。
【０００７】
Ａｍｏｓ他への米国特許第３，７１７，８９７号は、靴と車輪とをクリーニングするためのパッドを開示している。このパッドは、靴と車輪とから汚れを取り除くために、この上面を覆う薄い水洗い可能な接着剤を含んでいる。この‘８９７特許は、水洗い可能な接着性上面を有しているパッドを開示しているが、このパッドは、家庭タイプ用途またはオフィスタイプ用途に使用するのに知られていない。この‘８９７特許に述べられているように、このパッドは、クリーンルームへと導く玄関出入口に配置される。
【０００８】
粘着性のフロアマットは、それらが使用される建物の室内の完全に中にあるクリーンルーム、例えば、病室、コンピュータチップ製造スペース、体育館のためなどの屋外の外側入口からはるかに離れている屋内環境における利用に断然人気がある。従って、粘着性のフロアマットは、例えば、玄関の広間または屋外ポーチなどの建物の屋内に入る前に、人の靴の底をきれいにするために、屋外環境から導く玄関に近接するエリアにおける使用には知られていない。
【０００９】
粘着性のフロアマットは、いくつかの周知の欠陥の理由で、家庭タイプの用途またはオフィスタイプの用途における使用、例えば、家庭での使用またはビジネスオフィスでの使用には知られていない。これらの欠陥の１つは、フロアマットの粘着性表面が、湿った場合に効果的でないということである。このために、粘着性表面フロアマットは、家庭または会社にさらに入る前に人の靴をきれいにするために、上述の屋外ポーチなどの屋外環境に、あるいは、家庭または会社の入口の広間などの屋外玄関に近接する、あるいは、近くの屋内環境に使用された場合、マットは湿る可能性があり、ゆえに効果的でない。このマットは、例えば、大気中の水分から、あるいは、マットを踏む人の靴の底で運ばれる水分から湿ってくる。このうえ、粘着性表面が湿ってくる場合、それはスリップしやすくなり、従って、それを踏む人に危険を生ずる。
【００１０】
上記に論じられるような家庭タイプの用途またはオフィスタイプの用途のために、周知の粘着性フロアマットを使用するのに伴う追加の欠陥は、つまずく危険の可能性と美的アピールの欠乏とである。この‘８９７特許において、パッドがクリーンルーム環境に使用されるように設計されているので、パッドは玄関出入口の前の通路フロアに粘着して接着される。これは、クリーンルームタイプの用途において、適所にマットを保持するには十分である。しかしながら、カーペットの敷いてあるフロアに‘８９７特許のパッドを使用することが試みられる場合、このパッドはカーペットに適切に接着せず、従ってつまずく危険がある。これにより、かなり不利な問題を結果として生ずることがある。‘８９７特許のパッドは、それが接着剤を利用することなく適所に留まるために十分な質量を有していない。美観に関して、粘着性フロアマットは、それらの機能特性に対してのみ、従って、「クリーンルーム」タイプの用途だけの使用に周知であるので、それらは美的には心地よくない。ゆえに、少なくとも上記の理由のために、粘着性フロアマットは、家庭タイプ用途またはオフィスタイプ用途における使用には知られていない。
【００１１】
個々の購買者のための特注生産の問題と付加的なクリーニング特性の欠如とに関する周知のフロアマットに伴う追加の欠陥がある。フロアマットは、個々の家庭または会社への訪問者が出会う第１の物体である。従って、家庭または会社のオーナーは、訪問者に最初の挨拶、あるいは、メッセージを図形を用いて伝えるのにフロアマットを利用してもよい。かれらへの挨拶を含むフロアマットは周知であるのに対して、個々の購買者が、表示された図形を特注生産することを可能にし、これのメッセージが該購買者によって望まれる特定のメッセージを伝えるように注文して作られることは一般に知られていない。例えば、Ｈａｌｌｏｗｅｅｎ（ハローウィーン）に、購買者は、フロアマットに「Ｈａｐｐｙ  Ｈａｌｌｏｗｅｅｎ」というメッセージを表示することができる。別の状況では、購買者は、「Ｈｅｌｌｏ，Ｊｏｅ」などのメッセージで特定の訪問者に挨拶することを望むことができる。一般に、個人がフロアマットを特注生産し、かれらが伝えたい特定のメッセージを表示したり、特定の状況において、かれらが伝えたいフロアマットのメッセージを変更することが可能であるフロアマットを供給することは知られていない。
【発明の開示】
【発明が解決しようとする課題】
【００１２】
上記に述べられるように、周知のフロアマットに伴う追加の問題は、人の靴の底をきれいにするフロアマットの能力が限定されることである。周知のフロアマットは、靴の底から汚れ部分を取り除くことが可能であるが、これらは、この底を消毒することができないし、靴と関連するあらゆる不愉快なにおいを遮断するのに役に立つために、この底に香りを与えることができない。
【００１３】
周知のフロアマットに伴う追加の欠陥は、それらがクリーニング可能であっても、フロアマットがクリーニングを必要とされる時期を使用者が決定するのに役に立たないことである。一般に、フロアマットの所有者または管理人は、清浄度に対するフロア−マットの状態を絶えず、あるいは、定期的に監視しない。ゆえに、このフロアマットは、クリーニングを必要とし、所有者がフロアマットの状態を絶えずモニタしないので、所有者が、フロアマットがクリーニングを必要としていることを悟る前にはかなりの時間の周期がある。ゆえに、フロアマットがクリーニングを必要とする時期をフロアマットの所有者／管理人が決定するのに役に立つことが望ましい。
【課題を解決するための手段】
【００１４】
ゆえに、一般に周知のフロアマットに伴って存在する欠陥に取り組むことが可能な進歩したフロアマットを提供することが望ましい。本発明の進歩したフロアマットは、先行技術における欠陥を解消し、取り外し可能にフロアマット内に受容されるように構成されたクリーニング可能な部分を含有しているベース部分を含むことができる。このフロアマットは、さらに、水消散性能、水吸収性能、緩衝性能、特別注文された図形、透明な部分、クリーニング可能な部分の粘着性表面、抗菌加工の組成物、抗真菌の組成物および芳香などの特徴を含むことができる。このクリーニング可能な部分は、侵食性であり、複数のクリーニング可能な最利用できる層を含有しているという特徴を含むことができる。粘着性表面は、フロアマット内に含まれる場合、スリップ防止機構は、起こり得る湿った粘着性表面上でのスリップ防止に役に立つために粘着性表面と一体にされることができる。このうえ、センサシステムがフロアマット内に含まれることができ、使用者がフロアマットをクリーニングする必要な時期を確認するのに役に立つ。他の特徴は、以下の詳細な説明から明らかになるだろう。
【００１５】
本発明の様々な特徴は、以下の説明と添付の図面とを同時に参照すると最もよく理解されるだろう。
【発明を実施するための最良の形態】
【００１６】
図１は、本発明の原理によるフロアマット１００の第１の実施形態を示している。図１に示されるように、フロアマット１００は、ベース部分２００と、クリーニング可能なインサート部分３００とを有している。この明細書において後述されるように、本実施形態において、クリーニング可能な部分３００は、ベース部分２００内に受容され、ベース部分２００から取り外し可能である。
【００１７】
図２は、図１のフロアマットの分解斜視図を示している。図２に示されるように、ベース部分２００は、ほぼフラットで、平面の部材として形成され、ベース部分２００の上面内に凹部２１０を規定している。ベース部分２００は、クリーニング可能なインサート部分３００を支持し、これが配置される表面にフロアマットの位置決めを維持するのに十分な重量と質量とを有しているベース部分２００は、以下に論じられるように、水消散性能、水吸収性能および緩衝性能を有していることができ、ポリウレタン、ポリイソプレンなどの材料および多孔性構造を形成するように成形される、あるいは、織られたナイロン６などの架橋結合のエラストマー材料から構成することができる。凹部２１０は、様々な幾何学的形状のいずれかで構成されることが可能であるが、本実施形態においては、凹部２１０は、矩形形状に構成されている。この凹部２１０は、長さＬ１と幅Ｗ１とを有している。凹部２１０の深さは、この中にクリーニング可能なインサート部分３００を受容できるようなものであり、このために、クリーニング可能なインサート部分３００が、凹部２１０内に受容されたとき、クリーニング可能なインサート部分３００の上面は、ベース部分２００の上面とほぼ同じ平面に位置する。
【００１８】
前記ベース部分２００の上面には、個々の購買者の所望によりあらゆるカラーで彩色されることができる。しかしながら、ベース部分２００に蓄積されたあらゆる汚れの目に見える度合いを最小にする１つの色が利用されることが好ましい。例えば、ベース部分２００の上面に対して、明るい色ではなく、暗い色が利用されることが好ましい。しかしながら、再度、あらゆる個々の色が、ベース部分２００に対して、特に、個人の個々の所望により、ベース部分２００の上面に対して利用されることができる。このうえ、ベース部分２００は、半透明か、または、不透明かのいずれかでよい。
【００１９】
図２に示されるように、凹部２１０の底を規定しているベース部分２００の表面は、この表面に図形２２０を含むことができる。例示された実施形態において、この図形は、花の絵の表示と、「ＷＥＬＣＯＭＥ」という言葉を一字一句書くテキストメッセージとを含んでいる。本発明は、凹部２１０内のいずれかの特定の図形に限定されるものではなく、本発明は、様々な異なる形状の図形を含むことができる。
【００２０】
図形２２０は、このフロアマットが所有者によって購入された後、個人によって変更され、従って、特注生産されることができる。この所有者は、かれらの家庭または会社でのマットを特注生産することができ、従って、特定の状態にふさわしい図形が、別の状態でのディスプレイのために個人によって変更されることができる。例えば、図形は、Ｈａｌｌｏｗｅｅｎ（ハロウィーン）のために「Ｈａｐｐｙ  Ｈａｌｌｏｗｅｅｎ」と示すメッセージを表示することができ、冬休みシーズンの間、「Ｈａｐｐｙ  Ｈｏｌｉｄａｙｓ」を表示するように変更されることができる。このように、理解されることが可能なように、図形は使用者によって変更可能であり、従って、個々の使用者の特定の所望のために特注生産されることができる。
【００２１】
上記に示されるように、本発明は、図形２２０のためのいずれかの特定の形状に限定されるものではない。図形２２０は、使用者によって特注生産されることが可能であり、これの使用者が表示したい様々な異なる色、絵、メッセージ、あるいは、他の表示のいずれかを含む。それに加えて、目に見える１つまたは複数の色の純度は、変更可能である。例えば、夜に輝く色は、Ｈａｌｌｏｗｅｅｎ（ハロウィーン）などの特別の時に図形２２０に含まれることが可能である。
【００２２】
様々な異なるタイプの構造、あるいは、方法のいずれかは、フロアマット１００の図形２２０を変更するために、本発明において実施され、本発明は、図形２２０を変更するのにいずれかの特定の方法または構造に限定されるものではない。このうえ、本発明のフロアマットにおける変更可能な図形表示を与えるために熟慮される様々な実施形態のすべては、ベース部分かインサート部分のいずれか、または、両方に含まれることが可能である。例えば、図形は、接着剤またはファスナーアセンブリ、例えば、フック・アンド・ループ式のアセンブリを使用することなどによって、凹部２１０の底を規定している表面か、あるいは、インサート部分３００がベース部分２００内に配置されるとき、これの図形が透明なインサート部分を通して目に見えるようなインサート部分３００の裏面のいずれかに接着されることができる事前に形成されたメッセージ、あるいは、美術形式から構成されることができる。
【００２３】
別の方法として、様々な異なる図形は、使用者が表示のための特定の図形を選択的に覆わないことができるのに対して、他の利用可能な図形は、フロアマット１００内に覆われたままであるようにフロアマット１００内に収容されることができる。このタイプの選択可能性は、一般の表示パネル内の様々な異なる図形間の選択可能性が望まれる他の媒体において周知である。例えば、スポーツイベントでの広告掲示版は、同じ掲示板に、第１の特定の時間周期の間の第１の特定のメッセージと、第２の時間周期の間の第２のメッセージとを選択的に表示することが可能である。
【００２４】
第３の可能な別の方法は、フロアマットに変更可能な表示を与えることである。これ表示表面は、ベース部分か、あるいは、インサート部分かのいずれかと一体にされることが可能であり、例えば、凹部２１０の底面か、あるいは、インサート部分３００の底かのいずれかに取り付けられることが可能である。表示は、フロアマットの前面に、それがマットの透明な部分を通して見えるようなマットの後面に含まれ、このマットに埋め込まれ、このマットに取り付けられ、あるいは、このマットに一体的に形成されることが可能である。例えば、表示は、フロアマットの粘着性部分および／またはベース部分、あるいは、あらゆる他のコンポーネント部分に取り付けることが可能な小さくて薄いボックスから構成されることが可能である。それがフロアマットと一体にされる。しかしながら、使用者は、かれらの特注生産した図形をデザインして、表示することができ、それが別の図形と置き換えられるようにこれ図形をその後変更することができる。消すことが可能な筆記板などの表示表面は、このために利用されることが可能である。
【００２５】
さらに、例えば、液晶ディスプレイなどの変更可能な電子表示表面が、提供されることが熟考されている。このディスプレイは、コンピュータに接続されることが可能であり、コンピュータ生成画像は、このディスプレイに表示されることが可能である。このように、ディスプレイに表示される画像は、異なるコンピュータ画像を生成し、ディスプレイにこのコンピュータ画像を表示することによって、変更されることが可能である。この表示は、凹部２１０に内に含まれるなど、ベース部分２００と一体にされることが可能であるか、あるいは、インサート部分３００の上方に面する底部分に含まれることが可能である。別の方法として、これ表示は、ベース部分か、あるいは、インサート部分かのいずれかと一体化して形成されることが可能である。この変更可能な表示は、ディスプレイに様々な方法のいずれかで表示されることが可能な複数の異なる図形を利用することが可能である。例えば、図形は、ディスプレイにほぼ固定した位置に表示されることが可能であるか、あるいは、個々にか、あるいは、組合せのいずれかで、複数の図形を表示する２つの例示的な方法で、ディスプレイ全体をスクロールすることが可能である。
【００２６】
フロアマット１００の図形２２０を変更する他の方法は、図形２２０を生成する、従って変更するために発光ポリマーを使用することを含んでいる。この発光ポリマーは、フロアマットに塗られることか、付着されることか、あるいは、織り込まれることかのいずれかが可能である。発光ポリマーは、フロアマット１００のあらゆる部分に、例えば、ベース部分かインサート部分かのいずれかに、または、フロアマットのための異なる実施形態のあらゆる他の部分に利用されることができる。発光ポリマーは、周知であり、米国特許第５，９４５，５０２号、第５，８６９，３５０号および第５，５７１，６２６号に記述され、これらは、参照により全体がここに組み込まれる。
【００２７】
表示のための他のオプションは、電子インクまたは電気ペーパーを使用することである。電気ペーパーは、ゼロックス（Ｘｅｒｏｘ）から入手可能であり、米国特許第５，７２３，２０４号、第５，６０４，０２７号、第４，１２６，８５４号および第４，１４３，１０３号に記述され、これらは、参照により全体がここに組み込まれる。電子ペーパーは、画素を生成するために、それぞれがヒトの毛髪のほぼ幅の、ジリコン（Ｇｙｒｉｃｏｎ）と称される何千もの小さな、電荷を帯びたビードを利用している。ツートンカラーのビードは、これペーパーの表面を形成する液体充填プラスチックシートの内側に埋め込まれる。半分黒、半分白のそれぞれのビードは、電界に応じて旋回する。このビードが、黒側または白側のどちらが上であるかにより、画像を決定する。この画像をリフレッシュする必要がないので、そして、スクリーンが逆光で照らされないので、電子ペーパーは、従来の電子ディスプレイによって使用されるほんの少しのパワーだけを使用する。電磁針およびプリンタのような装置は、このペーパーに画像を得るのに使用されることが可能である。
【００２８】
電子インクは、０２１３８、米国、マサチューセッツ州、ケンブリッジ、スピネリＰＩ、４５（４５  Ｓｐｉｎｅｌｌｉ  ＰＩ．，Ｃａｍｂｒｉｄｇｅ，ＭＡ  ０２１３８）のイー・インク社（Ｅ  Ｉｎｋ  Ｃｏｒｐ．）から入手可能である。電子インクは、マイクロカプセルに入れたマイクロメカニカルディスプレイシステムを使用する。小さなマイクロカプセルは、画素を生成するために、プラスチックの２つのシートの間に捕捉されている。別の方法として、このカプセルは、表面にスプレーされることができる。この結果は、フレキシブルなディスプレイ材料である。小さなカプセルは、透明であり、黒インクと白のペイントチップとの混合物を含有している。電荷が、カプセルを通して通過される。静電荷により、ペイントチップは、頂部に浮かぶか、あるいは、各カプセルの底にあるかである。ペイントチップが頂部に浮かぶとき、これ表面は白く見える。これらが、底にある、従ってこれインクの下にあるとき、この表面は黒く見える。２つの状態のそれぞれは、黒か白かに安定している。シートの表面全体に置かれる透明な電磁格子は、画像の形状を制御する。このディスプレイは、無線で、例えば、コンピュータに、従って例えば、Ｍｏｔｏｒｏｌａ（モトローラ）のページングシステムを利用してワールドワイドウェブ（Ｗｏｒｌｄ  Ｗｉｄｅ  Ｗｅｂ）に接続されることができる。すべてのディスプレイへのテキストは、複数のディスプレイが使用される場合、ウェブ（ｗｅｂ）ページを介して、単一のエディタによって直ちに変更されることが可能である。
【００２９】
再度、この表示を変更するための上記に論じられる方法のいずれかを利用することが可能なディスプレイは、凹部２１０内のベース部分２００またはインサート部分３００の上方に面する底面などのフロアマットのあらゆる部分と一体にされることが可能である。別の方法として、このディスプレイは、ベース部分かインサート部分かのいずれかと一体化して形成されることが可能である。このディスプレイは、粘着性表面および非粘着性フロアマットを含み、本発明のフロアマットのためにここに開示される実施形態のいずれかに利用されることが可能である。
【００３０】
上に述べられるように、ベース部分２００をさらに説明するにあたり、ベース部分２００は、さらに水消散コンポーネントと緩衝コンポーネントとの両方を含むことができる。水消散コンポーネントは、フロアマット１００の上に載る人の靴の底から水分を移すために供給して、クリーニング可能なインサート部分３００に移される水分の程度を減少し、緩衝コンポーネントは、フロアマット１００を人の足底の形状に合わせるために供給し、これために、人の足底の多量のデブリが、フロアマット１００によって取り除かれることができる。本発明は、水消散コンポーネントおよび緩衝コンポーネントについてあらゆる特定の構造または材料に限定されるものではない。例えば、水消散コンポーネントは、ポリアミド、ビニル系およびポリイソプレンなどの様々な周知の材料のいずれかから構成されることができる。必ずしも必要とされないが、この水消散コンポーネントは、水を分散または移動し、水を保持しないことが望ましい。従って、親水性材料でなく、多孔性材料が望まれる。緩衝コンポーネントは、例えば、フォームラバーを含む、様々な緩衝コンポーネントのあらゆるものから構成されることができる。
【００３１】
図２は、さらに、クリーニング可能なインサート部分３００を示している。図に示されるように、クリーニング可能なインサート部分３００は、サイズが相補的である幾何学的形状を有し、ベース部分２００内に形成される凹部２１０を形成している。そういうものとして、クリーニング可能なインサート部分３００は、凹部２１０内にしっかりと受容されることができる。従って、クリーニング可能なインサート部分３００は、凹部２１０の長さＬ１よりもほんのわずか短い長さＬ２を有している。同様に、クリーニング可能なインサート部分３００も、凹部２１０の幅Ｗ１よりもほんのわずか短い幅Ｗ２を有している。
【００３２】
クリーニング可能なインサート部分３００の底側３１０に、すなわち、凹部２１０の底を規定している表面と接触する表面に、クリーニング可能なインサート部分３００が凹部２１０内でベース部分２００に着脱自在に付着されることができるように、取付機構が設けられることができる。様々な異なる取付機構のあらゆるものは、例えば、フック・アンド・ループ式のファスナーアセンブリまたは接着剤を含み、クリーニング可能なインサート部分３００の底面に設けられることができる。クリーニング可能なインサート部分３００をベース部分２００に着脱自在に付着するのに使用される特定の固定機構にかかわらず、この実施形態において、使用者によってクリーニングされることができ、クリーニング後、きれいな表面がフロアマット１００に新しく与えられるように凹部２１０内に再び挿入できるように、クリーニング可能なインサート部分３００は、ベース部分２００から取り外されることができる。
【００３３】
上記に述べられるように、クリーニング可能なインサート部分３００は、アクリル酸、ヒドロキシエチルメタクリ酸およびグリセリンモノメタクリル酸を含む、親水性脂肪属アクリルポリマー、コポリマーなどの透明な材料から形成されることができる。透明な材料のクリーニング可能なインサート部分３００を形成することにより、個人が、以前に論じられるように、フロアマット１００内に設けられることができる特注生産した図形を見ることを可能にする。別の方法として、このインサート部分３００は、不透明でもよい。
【００３４】
このうえ、クリーニング可能なインサート部分３００の上面側は、粘着性表面を含むことができる。この粘着性表面は、クリーニング可能なインサート部分３００の上に載る人の靴の底からデブリを取り除くのに役に立つ。この実施形態において、クリーニング可能なインサート部分３００の頂部の粘着性表面が、使用者がインサート部分３００をきれいにすることを望むような程度にまで汚される場合、使用者はベース部分２００からインサート部分３００を取り外し、蓄積したデブリを取り除くためにインサート部分３００をきれいにする。インサート部分３００は、次に、ベース部分２００へ再度挿入される。
【００３５】
クリーニング可能なインサート部分３００の上面側に与えられる粘着性表面は、適切な可塑剤、可塑化されたネオプレン、ポリスルフィドおよびポリウレタンと組合されるポリ塩化ビニールなどの様々な材料のあらゆるものから構成されることが可能である。さらに、ブチルアクリル酸などのアクリル系および多数のこれの同族体が利用されることができる。再度、本発明は、いずれかの特定の材料に限定されるものではない。粘着性表面は、一般に、あらゆる接着性材料から形成されることができる。この実施形態において、単に考慮すべきことは、これ表面が、繰返しのクリーニングサイクル後でさえこれ粘着性特性を維持することである。
【００３６】
本発明は、インサート部分３００をきれいにするいずれかの特定の方法に限定されるものではない。インサート部分３００は、インサート部分３００のための特定の材料組成により、様々な方法のあらゆるものによってクリーニング可能である。例えば、インサート部分３００は、洗濯機内にインサート部分を置き、インサート部分３００を洗うことによってクリーニング可能であり、または、インサート部分３００は、粗い掃除ブラシと、石鹸と、水とで、あるいは、「Ｓｐｉｃ‘Ｎ  Ｓｐａｎ」などのクリーニング剤で、インサート部分３００をごしごしこすって洗い落とされることができる。
【００３７】
更に、インサート部分３００は、ローラの周辺まわりに粘着性表面も含むローラを利用することによってクリーニング可能である。ローラの粘着性表面がインサート部分の粘着性表面全体にわたってロールされるとき、粘着性インサート部分上のあらゆる汚れおよびデブリが、粘着性インサート部分から除去され、ローラに接着するように、このローラの粘着性表面は、粘着性インサート部分の接着剤よりも強度な接着剤から構成される。このように、粘着性表面を有しているローラは、粘着性インサート部分をクリーニングするのに利用されることが可能である。
【００３８】
この場合も、本発明は、インサート部分３００をクリーニングするためのいずれかの特定の方法またはクリーニング剤に限定されるものではなく、インサート部分３００の組成の作用に影響を及ぼさないあらゆるクリーニング方法またはクリーニング剤が熟考される。
【００３９】
フロアマット１００は、さらに、フロアマット１００の上に立つ人の足底のクリーニングに役に立つという付加的な特徴を含むことができる。例えば、ベース部分２００および／またはインサート部分３００は、抗菌組成および抗真菌組成を含むことができる。ポリエチレングリコールモノメタクリ酸およびジメタクリ酸のアントラキノシン誘導体などの抗菌組成が利用されることが可能である。従って、フロアマット１００は抗菌性である。抗菌の特徴は、フロアマットが人の靴の底から構造デブリをきれいにし、おまけに、人の足底からあらゆる可能性を秘めた有害なバクテリアを取り除く両方を可能にするので、特に望ましい。
【００４０】
このうえ、さらに、特定のエリアに入る前に望ましい底面を供給するために、フロアマット１００には、さらに、芳香がもたらされることが可能である。芳香族置換、あるいは、有機エーテルを有している三環系分子、例えば、ｌｉｍｉｎｏｌｉｃ  ａｃｉｄなどのフラボンが利用されることが可能である。芳香は、あらゆる望ましくない臭いが芳香によって好都合に遮断されるように、フロアマット１００から人の靴の底へ移される。
【００４１】
本発明は、抗菌組成、抗真菌組成および／または芳香をフロアマット１００に利用することに限定されるものではない。むしろ、フロアマット１００は、さらに、人の靴の底をきれいにするのに役立つ様々な他の物質を含有していることが可能である。
【００４２】
あらゆる様々な構造または方法は、抗菌組成、抗真菌組成、芳香、あるいは、あらゆる他の組成をフロアマット１００と一体にするために利用されることが可能である。これらの物質は、フロアマット１００へ剥離可能なまたは消散可能なコーティングとして塗布されることが可能であり、または、例えば、フロアマット１００の構造内にペレットとして剥離自在に埋め込まれることが可能であり、このために、圧力がフロアマット１００に加えられるとき、これらの物質は人の靴の底に分配される。
【００４３】
図３は、フロアマット１００のための別の実施形態を示している。図３において、ベース部分２００は、水消散コンポーネント２３０および緩衝コンポーネント２４０のために独立した層を含むことができることが示されている。水消散コンポーネント２３０は、この実施形態において、緩衝コンポーネント２４０の上面側に配置されている。しかしながら、本発明は、水消散コンポーネント２３０および緩衝コンポーネント２４０のためのこの特定の実施形態に限定されるものではない。例えば、単一のハイブリッド構造が、水消散と適合構造との両方をもたらすために、材料特性を含むベース部分２００のために利用されることが可能である。
【００４４】
別の方法として、図４は、水消散コンポーネントまたは水排出層と、水吸収層との両方を含むことができることを示している。図４において、フロアマット４００は、水排出層４１０と水吸収層４２０とを有している水排出層４１０は、ポリプロピレンまたはオレフィン、または、水をフロアマット４００の表面から移動する特性を有しているあらゆる他の適切な材料から構成されることが可能である。水吸収層４２０は、水排出層４１０の真下に配置され、この水排出層４１０を通過するあらゆる水を吸収する。水吸収層４２０は、周期的に取り外され、例えば、乾燥機などによって乾燥されることが可能である。
【００４５】
いうまでもなく、水排出層４１０は、他の実施形態において以前に記述されるように、水吸収層４２０および緩衝層を有してか、あるいは、有さずかのいずれかで使用されることができ、水吸収層４２０は、水排出層４１０および緩衝層を有して、あるいは、有さずに使用されることが可能である。このうえ、水排出層および／または吸収層および／または緩衝層のどちらも、粘着性部分を有して、あるいは、有さずに使用されることが可能である。
【００４６】
図３に戻って、図３はまた、インサート部分３００のための別の実施形態を示している。インサート部分３００のための以前に開示された実施形態は、これの上面側に粘着性表面を含むことが可能である単一構造部材として論じられたのに対して、インサート部分３００のための図３の実施形態は、複数層から構成されている。図に示されるように、層３０１〜３０５は、インサート部分３００を構成している。これらの層のそれぞれは、インサート部分３００について以前に記述されたように、これの上面側に粘着性表面を含むことができる。使用中、最上層、例えば、層３０１は、これの近接した下方層、例えば、層３０２から取り外されることができ、独立してクリーニング可能である。クリーニング後、この層は、インサート部分３００の露呈した層の上面の凹部２１０内に再据え付けされることができる。このように、インサート部分３００は、最上層を取り外し、この層をクリーニングし、凹部２１０内に、この層を再据え付けすることによって、クリーニング可能である。各層は、独立してクリーニング可能であるとして記述されているが、各個々の層は、クリーニングできるということは必要とされない。各層は、インサート部分のために図１および図２の実施形態を論じているときに以前記述されるような材料から形成されることができる。
【００４７】
インサート部分３００のための他の別の実施形態が熟慮されている。例えば、以前に開示された実施形態は、１つまたは複数の上面側に粘着性表面を有している１つまたは複数の層から構成されるようにインサート部分３００を論じたのに対して、インサート部分３００は、これの上面側に粘着性表面のみで形成されるということは必要とされない。より詳細には、インサート部分３００のための別の実施形態は、材料の断面全体を通して、組成が粘着性である材料から単一構造部材としてインサート部分３００を形成することを含んでいる。非架橋結合親水性可塑性物質、好ましくは、１５を超えないｎを有しているポリエチレングリコールジアクリレートと塩化ビニルネオプレンなどの疎水性材料との混合物などの材料が、この実施形態のインサート部分に利用されることが可能である。インサート部分３００を均質の粘着性材料から形成することによって、インサート部分３００はクリーニングされるために、必ずしもベース部分２００の凹部２１０から取り外される必要はない。この別の実施形態において、インサート部分３００は、インサート部分の使用の結果として、インサート部分の上面を侵食することによってクリーニング可能である。従って、侵食性インサート部分を供給することによって、インサート部分は、インサート部分がフロアマット１００内に使用されるとき、これの上面の侵食によってクリーニング可能である。
【００４８】
インサート部分３００が侵食するとき、インサート部分３００の露呈された表面は、これの均質な断面のゆえに組成が粘着でありつづける。この露呈された粘着性表面は、侵食の結果として消散し、従ってインサート部分自体の侵食は、クリーニング可能なインサート部分にもたらす。
【００４９】
別の方法として、インサート部分３００のために粘着性物質の均質な断面を有していても、使用者は凹部２１０からインサート部分３００を取り外すことができ、独立してインサート部分３００をクリーニングすることができる。従って、使用者は、インサート部分３００のクリーニングのために、インサート部分３００の侵食性特性に全く頼る必要がない；どちらかといえば、使用者は、ベース部分からインサート部分を取り外し、独立してこれのインサート部分をクリーニングする独立したクリーニング工程と組合せてインサート部分の侵食性のクリーニング特色を利用するのがよい。
【００５０】
上記に論じられるように、インサート部分３００は、粘着性プラスチック、ペーパーなどの材料、あるいは、クリーニング可能な接着剤を含む様々な材料から構成されることができ、侵食性であり再利用できてもよく、あるいは、侵食性でなく再利用できなくてもよい。ペーパーが利用される場合、インサート部分は、以前に論じられるように、単一構造部材として、または、複数の層として形成されることができる。このうえ、ペーパーは、これの上面側に粘着性表面を含むことができる。このペーパーは、半透明でも、不透明でも、あるいは、着色してもよく、この上に図形表示を含むことができる。
【００５１】
先に論じられているように、必ずしも必要とされないが、フロアマットは、水消散および／または水吸収性能を有していることが望ましい。この性能により、インサート部分の粘着性表面が、過度に湿ること、従って、スリップすることを防止するのに役に立つことが望ましい。使用者が、インサート部分の粘着性表面の上でスリップすることを防止するのに役に立つために、水消散性能および／または水吸収性能が、フロアマットに含まれることが可能であり、粘着性表面の水分の程度を減少するということが論じられたが、これは、粘着性インサート部分がスリップしやすくなるのを防止するために熟考される単なる構造ではない。別の方法として、粘着性のインサート部分それ自体は、スリップするのを防止するのに役立つように形成されることが可能である。図５〜図７は、粘着性インサート部分３００のための別の実施形態を示している。図５は、非粘着性材料から構成されることが可能なチャネル３２２の格子パターン３２０を有するような粘着性インサート部分３００を示している。このチャネルは、インサート部分３００の表面から隆起されることが可能か、あるいは、インサート部分の上面と同一平面上に位置することが可能であるかのいずれかである。非粘着性材料のチャネルを形成することによって、インサート部分３００の粘着性材料が湿る場合でも、使用者は、湿ったときスリップしない非粘着性表面の存在により、インサート部分のスリップしやすい、湿った粘着性の表面上でスリップしないために役に立つ。
【００５２】
図６および図７は、粘着性インサート部分の上面３３０の上に広がるスリップ防止粒子３２４、例えば、シリコンまたは砂粒子を含む粘着性インサート部分３００のための別の代わりの実施形態を示している。スリップ防止粒子は、湿ったときスリップしない材料から構成されることと、それらが粘着性表面から露呈されることとが望ましいが、それは必要とされるものでない。スリップ防止粒子が粘着性表面内に埋め込まれる場合でさえ、粘着性インサート部分の上面３３０の上のそれらの広がりは、フロアマットの上に立つ人の靴の底にスリップに対する物理的な摩擦抑制をもたらす。
【００５３】
図５は、非粘着性材料から構成されることが可能なチャネル３２２の格子パターン３２０を含むような粘着性インサート部分３００を示し、図６および図７は、粘着性インサート部分の上面３３０の上に広がるスリップ防止粒子３２４を含む粘着性インサート部分３００のための別の代わりの実施形態を示しているが、これら２つの別の実施形態が、相互に相容れない機構を含有していることは必要とされない。例えば、粘着性インサート部分３００は、非粘着性チャネルの格子パターンとスリップ防止粒子との両方を含むことが熟考されており、このことは図には特に示されていないが、容易に理解されることが可能である。
【００５４】
スリップ防止粘着性部分を設ける別の代わりのものは、粘着性部分の表面を通って、わずかに上に伸びる複数のスリップ防止部材、あるいは、トレッド、あるいは、ニップルを含むことである。図８に示されるように、この実施形態において、粘着性部分３００は、ベース部分内に挿入され、これは水吸収性ボーダー５００でよく、この中に複数の開口３４２を有している。粘着性部分３００の真下に配置されるベースから上方に延在することができる複数のトレッド３４４のそれぞれは、複数の開口３４２の１つを通って伸びている。各トレッドの最上端部は、粘着性部分３００の最上表面３４０の上に延在している。人が粘着性部分３００の上を踏むとき、トレッド３４４の量および位置決めは、粘着性部分が人の靴からデブリを取り除くことが可能なようなものであり、これの少なくとも１つが人によって踏まれるトレッド３４４は、粘着性部分３００が湿ったときにスリップする場合、粘着性部分３００上での人がスリップすることを防止する。トレッドの最上端部が粘着性部分３００の最上表面３４０と同一平面となるように、このトレッド３４４は踏まれるとき圧縮することができる。このように、トレッドは、スリップすることを防止するために人の靴と接触するが、それにもかかわらず、人の靴とマットの粘着性表面との間の接触を妨げず、それにより、人の靴のクリーニングを高める。この結果、トレッドが粘着性部分の最上表面の上に延在する間隔と、トレッドの圧縮率との間に関係；上記に論じられる機能性をもたらす関係がある。
【００５５】
トレッドは、あらゆる形状およびサイズに構成されることができる。このうえ、トレッドは、湿ったときに、例えば、ゴム、プラスチックなどのスリップ防止であるあらゆる材料から構成されることができる。トレッドは、それらの中に溝を含むことができ、さらに、人が粘着性部分上でスリップすることを防止するのに役立つ。
【００５６】
以下の論議において、前述で主として参照符号２００で示されるフロアマットの「ベース部分」が、少なくともベース部分基層と非粘着性層とを備えていることは理解されることである。少なくとも非粘着性層の部分は、これのベース部分基層から分離できる。このベース部分は、それが粘着性インサートと適切に協働するかぎり、単一層または複数層であり得るということは理解されるべきである。
【００５７】
上記の考慮すべき事柄において、図９Ｂは、本発明のさらなる別の実施形態によるフロアマットの分解図である。このフロアマットは、予め定められた厚さのほぼ平面のシートの材料として形成され、この平面のシートのまわりに境界線を描く隆起したボーダー２３０３を有しているベース部分基層３００を含んでいる。この材料のシートは、ほぼ平面の表面２３０２を含んでいる。この材料は、例えば、圧縮成形、射出成形、熱成形、あるいは、他のプロセスによって所望の形状に形成されるビニール、プラスチック、ゴムなどの柔軟で耐久性のある耐水性材料でよい。
【００５８】
ベース部分基層は、粘着性インサート２３０６を受容するように形成されるエリア２３０１を含んでいる。このエリア２３０１は、表面２３０２よりも高い材料のリム２３０８によって縁がつけられることができる。このエリア内に配置されるとき、粘着性インサートは隆起したボーダー２３０３の部分と当接し、このため、リムおよびボーダーが、ベース部分基層内に粘着性インサートを保持するのに協働する。ベース部分基層は、エリア２３０１内にスリップ防止コンポーネント２３０９を含んでいる。スリップ防止コンポーネントは、粘着性インサート内の開口２３０７を通って延在し、さらに、ベース部分基層の適所にそれを固定するのに役に立つ。
【００５９】
さらに、図９Ｂに示されているのは、隆起したボーダー２３０３内のベース部分基層２３００へ受容されるように形成される予め定められた厚さの非粘着性層２３０４である。非粘着性層の部分は、ベース部分基層に不変に接着されることができる。隆起したボーダー２３０３は、「コーブ成形」として形成されることができ、図９Ａの断面図で示されるように、外側縁部２３０３．１で開始し、このボーダーの材料は、上方へおよび内方へ傾斜する。内側縁部２３０３．２、すなわち、平面の表面２３０２と隆起したボーダーの部分との間の高さにおける差は、非粘着性層２３０４の厚さにほぼ等しい。非粘着性層は、粘着性インサートの形状に一致するカットアウトエリア２３０５を有し、このため、非粘着性層およびベース部分基層が一緒に合わされるとき、カットアウトエリアの縁部は、リム２３０８に当接するかまたは近接し、非粘着性層の上面は、粘着性インサートを受容するエリア２３０１の表面よりも高い。従って、非粘着性層と共にベース部分基層は、粘着性インサートを受容するように構成される凹部を有しているベース部分を形成している。
【００６０】
非粘着性層２３０４は、先に記述されるようなベース部分２００のコンポーネント特性を有することができる。例えば、非粘着性層２３０４は、ベース部分２００に関連して上記に記述されるように、水吸収特性、水消散特性、水排出特性、緩衝特性、抗菌特性、抗真菌特性、芳香、図形などのあらゆる組合せを有することができる。非粘着性層は、例えば、カーペットでよい。非粘着性層の上面のエリアは、少なくとも、粘着性インサートの上面のエリアほどの大きさでよい。非粘着性層の上面と粘着性インサートとのエリアは、それぞれに、成人サイズの靴の底全体がこれの上に受容可能であるようなサイズでよい。
【００６１】
上記に論じられるように、粘着性インサート２３０６は、複数の分離可能な層を備えることができる。この層は、粘着性をもたらすために、感圧接着剤でコーティングされるポリエチレン、二軸配向ポリプロピレン、あるいは、ポリエステルフィルムなどの柔軟で、フレキシブルな材料を備えることができる。フロアマットの使用者は、汚損しすぎて靴を効果的にきれいにすることができなくなったインサート層を捨てることができ、新しい層の下面を露呈する。汚損した層の取り外しを容易にするために、少なくとも非粘着性層２３０４の部分は、ベース部分から分離でき、図１０Ａに示されるように、粘着性インサートの層の取り外しタブ２４００を露呈する。取り外しタブ２４００は、使用者に取り外しタブをグリップすることを可能にすることによって粘着性インサートの層の容易な取り外しを促進し、それによってこの層に分離する力を加える。取り外しタブ２４００は、以下により詳細に論じられるダイカッティングプロセスの間に粘着性インサートと同じ材料で形成されることが可能であるが、接着剤なく、容易な処理を可能とする。取り外しタブは、別の方法として、異なる材料から形成され、粘着性インサートに固定されることが可能である。凹部２４０１は、１つのタブまたは複数のタブを収容するために、ベース部分基層に形成されることができる。
【００６２】
例えば、ファブリックのループ形状の引張りタブ２４０２は、非粘着性層の縁部に設けられ、使用者が、非粘着性層の部分をベース部分基層から分離することを可能にする。非粘着性層の分離可能な部分は、通常使用のとき、例えば、図１０Ａに示されるようなスナップファスナーなどの容易に分離可能なファスナーによってベース部分基層に固定されることが可能である。図１０Ａにおいて、引張りタブ２４０２は、スナップファスナーのレセプタクルコンポーネント２４０３を有するのに対して、ベース部分基層は、噛み合う雄コンポーネント２４０４を有している。フロアマットが通常使用の間、非粘着性層はベース部分基層２３００に平らに位置し、２つのスナップファスナーコンポーネントをロッキング係合にもたらし、非粘着性層の分離可能部分をベース部分基層に固定し、１つの取り外しタブまたは複数の取り外しタブ２４００を隠し、フロアマットにより美的に心地よい外観を与える。
【００６３】
図１０Ｂに示されるような別の実施形態において、このファスナーは、ＶＥＬＣＲＯ（登録商標）などのフック・アンド・ループ式のファスナーである。図１０Ｂにおいて、ＶＥＬＣＲＯ（登録商標）ストリップ２４０５は、非粘着性層２３０４の下面に付着されて示され、噛み合うＶＥＬＣＲＯ（登録商標）ストリップ２４０６は、ベース部分基層２３００の平面の表面２３０２に付着されて示されている。フロアマットが通常使用の間、非粘着性層はベース部分基層２３００の上に平らに位置し、２つのＶＥＬＣＲＯ（登録商標）ストリップを接触させ、非粘着性層の分離可能な部分をベース部分基層に固定し、１つの取り外しタブまたは複数のタブ２４００を隠している。
【００６４】
取り外しタブが隠されるように、非粘着性層によって覆われるベース部分基層のエリアの方に延在する取り外しタブ２４００への別の方法として、取り外しタブは、図１０Ｃに示されるように、粘着性インサートのエリア２３０１の方に延在することが可能である。このタブには、例えば、粘着性インサート層が使用された数を使用者に示すために、符号がつけられている。
【００６５】
図１０Ｄおよび図１０Ｅは、粘着性インサートが複数の層を備えるときの場合に対応する取り外しタブ２４００の側面図を示している。図１０Ｄに示されるように、この取り外しタブは、段階的に層にされることが可能であり、このため、上方タブの縁部は、それより下のタブの縁部を越えて延在している。このような構成は、取り外しタブの操作を容易にすることができる。別の方法として、このタブは、図１０Ｅに示されるように同一の広がりを持つことが可能である。
【００６６】
上記に示されるように、粘着性インサートは、複数の分離可能な層を備えることが可能である。図１１Ａは、粘着性インサートにおける層の１つの可能なシーケンスを示している側面図である。図１１Ａの例では、この粘着性インサートは、１２の層を有しているが、それ以上の層、あるいは、それより少ない層を有している粘着性インサートが、容易に熟慮されることは明白である。図１１Ａにおいて、層１〜１２のそれぞれは、少なくとも接着層とフィルム層とを備えている。この接着層は、使用するのに露呈されるとき、上記に記述されるように靴をきれいにするために、粘着性インサートの粘着性表面をもたらす。このフィルムは、接着層のための媒体である。
【００６７】
接着層およびフィルム層に加えて、上層１およびベース層１２それぞれは、剥離層を含んでいる。この剥離層は、非粘着性外側表面（すなわち、接着層と接触する表面の反対側の表面）を有し、層の一群が、使用者によって容易に包装され、包装があけられ、処理されることを可能にする。この剥離層は、使用者が粘着性インサートをフロアマットのベース部分へ据え付けることを必要とするときに、接着層から容易に分離される。
【００６８】
図１１Ａに示されるように複数層の粘着性インサートを据え付けるために、使用者は、ベースの剥離層を層１２から剥がし、ベース層の接着剤を露呈し、次にフロアマットのベース部分に粘着性インサートを据え付ける。このベース層の接着剤は、ベース部分内の粘着性インサートを固定する。
【００６９】
使用者は、次に、頂部剥離層を取り外し、使用するために第１の層の接着表面を露呈する。第１の層が使用して汚れた後、使用者は、この第１の層を取り外し、第２の層の接着表面を露呈し、この第２の層を使用し始める。１つの層の接着表面と、この上の層のフィルムとの間の接着が、靴をきれいにするのに使用されるとき、１つの下方層または複数の下方層から容易に取り外されないことを確実にするほど強いが、上方層が、意図的な操作とこのために加える力によって取り外すことが困難であるほど強くない。インサートの層のすべてが使い果たされると、使用者は、ベース層を取り外し、新しいインサートを据え付ける。
【００７０】
図１１Ｂは、粘着性インサートの１つの層の別の実施形態を示している。図１１Ｂに示されるように、粘着性インサートの層は、フィルム層の上に敷かれる一体スリップ防止材料２７０１が散在される接着剤２７００を備えている。スリップ防止材料は、図１１Ｃに示されるように、層を横切るストリップ状態で延在することが可能である。この一体スリップ防止材料は、粘着性インサート内の開口によって受容されるベースマットの基層のスリップ防止コンポーネントの代わりに、スリップ防止機能を行うのに使用されることが可能である。別の方法として、一体スリップ防止材料および粘着性インサートの開口内に受容されるスリップ防止コンポーネントの両方は、スリップ防止機能をもたらすのに使用されることが可能である。
【００７１】
複数の層からなる粘着性インサートを製造する方法および装置を次に説明する。これらの層を形成する基本的材料は、連続ロールの単位で大量に製造され、分配される低密度ポリエチレン、二軸配向ポリプロピレン、あるいは、ポリエステルフィルムでよい。この基本材料は、さらに、個々のシートの形状で供給されることが可能である。一般にフィルムは、粘着性表面をもたらすための接着剤の塗布と、包装および処理を容易にするための剥離層の塗布と、所望の形状への層のカッティングとを含む一連の機械化された、オートメーション化した層形成プロセスを介して、ロールから送り込まれ、そして送り出される。
【００７２】
ここでは図１２を参照すると、粘着性インサートを形成するプロセスは、ブロック２８００に示されるように、フィルムの上に上方接着層を形成する工程を含む。この上方接着層は、周知のプロセスによって、例えば、ロールツーロールプロセスにおけるリバースロールコーターマシン、あるいは、グラビアコーターマシンを使用して形成されることが可能である。上方接着層を有しているフィルムは、粘着性インサートの層のための基準層材料を構成し、これは、後に形成されるすべての層に含まれる。次に、ラミネータを使用して、基準層材料の部分は、ブロック２８０１に示されるように、インサートの上層を形成する上層材料を形成するために、上層剥離フィルムに積層される。この上層は、図１１Ａに示されるような層１に相当する。
【００７３】
インサートのベース層を形成するベース層材料は、ブロック２８０２に示されるように、例えば、ベース接着層を、上方接着剤を有している側と反対側のフィルムの側に加えるために、リバースロールコーターまたはグラビアコーターを使用して、ベース接着層をベース層剥離フィルムに積層するために、ラミネータを使用して基準層材料の部分から形成される。このベース層は、図１１Ａに示されるような層１２に相当する。
【００７４】
粘着性インサートの構成要素である基準層、上層およびベース層材料は、次に、図１３Ａ、図１３Ｂおよび図１３Ｃにそれぞれ示され、以下に詳細に論じられるように、粘着性インサートを生成するために、本発明による別の方法によってさらなる処理に施される。
【００７５】
「マルチプルレイアップ（ｍｕｌｔｉｐｌｅ  ｌａｙ−ｕｐ）」（図示せず）と称される周知の方法により、すべての層は、先ず、後に粘着性インサート形状にカットされる多層ラミネートにまとめられることができる。しかしながら、このプロセスは、カットされた層の望ましくないボンド接着がこれの縁部に生じるという不利な点を欠点として持っている。
【００７６】
従って、縁部のボンド接着の問題を回避するために、粘着性インサートは、本発明の少なくとも３つの別の実施形態によるロータリーダイカッター含むプロセスで形成されることができる。ロタリーダイカッターは、製造技術では周知である。しかしながら、図１１Ａに示されるような多層構造を形成するために、プロセスにロータリーダイカッターを使用することは知られていない。
【００７７】
図１３Ａは、本発明によるロータリーダイカッターを使用して粘着性インサートをカットするように構成される装置を示している。個々のローラ２９００の数字（例えば、１２）は、上層、基準層およびベース層材料それぞれを、ラミネータ２９０１へ、次に、ロータリーダイカッター２９０３へ送り込むために示されている。これらの層は、「ウェブ」として周知の連続形状で送り込まれる。ラミネータは、所望のボンド接着強度で互いにウェブを結合するように、ローラを介して予め定められた量の圧力および引張りを複数のウェブに加えるように構成可能な周知の機械である。例えば、ラミネータは、完了すると、粘着性インサートがその時々の処理でこれの構成要素の層に容易に分離しないように十分な圧力を加えるが、層が効果的に互いに融合し、意図的な操作とこのための力の印加によって分離することが困難であるほど大きい圧力を加えない。
【００７８】
これらの層は、１２層のウェブ２９０２を形成するためにラミネータによって結合された後、ロータリーダイカッター２９０３によって処理される。このロタリーダイカッター２９０３は、ウェブ２９０２から所望に形状の１２層の粘着性インサート２９０５をカットする。
【００７９】
ロータリーダイカッターのより詳細な例示は、図１４に示されている。ロータリーダイカッターは一般に、互いに近接して並べられ、互いにそれぞれ反対の方向に回転する少なくとも２つのほぼ円筒形ドラム３０００を備えている。これらのドラムは、ギヤ３００３によって駆動されるシャフト３００２により回転する。ドラムの外側表面には、ウェブ３００４からカットされる所望の形状の輪郭を描く彫刻ナイフ３００１が設けられている。ドラム表面の１つの形状は、対向するドラム表面の形状の鏡像となっている。粘着性インサートの場合、輪郭が描かれた形状は、例えば、上述されるようにキーストーン形状となる。これらのドラムは、整列され、回転のスピードは、それぞれのドラムの対応するナイフが回転の間に接触するように設定され、ウェブ材料から所望の形状をカットする。別の方法として、彫刻ナイフは、１つのドラムだけにあるのに対して、対向するドラムは、滑らかな表面を有している。一般にストリッピング装置（図示せず）は、切り取られたウェブ材料をドラムから分離するのに使用される。
【００８０】
図１３Ｂは、ロータリーダイカッターを利用する別の構成を示している。図１３Ｂにおいて、粘着性インサート形状は、先ず、それぞれの層の基本材料からカットされ、次に、粘着性インサートを生成するためにラミネータによって結合される。上層材料は、上層のロータリーダイカッター、つまり、ロータリーダイカッター＃１に送り込まれ、これは上層のためのインサート形状を切り取るのに使用される。基準層材料は、第２の単一の基準層のロータリーダイカッター、つまり、ロータリーダイカッター＃２に送り込まれ、これは基準層のためのインサート形状を切り取るのに使用される。この例示において、１０の基準層インサート形状は、ロータリーダイカッター＃２によって連続して切り取られ、上層のインサート形状とベース層のインサート形状と共に積層される前に、中間スタッカ（図示せず）に積み重ねられる。ベース層材料は、ベース層のロータリーダイカッター、つまり、ロータリーダイカッター＃３に送り込まれ、これはベース層のためのインサート形状を切り取るのに使用される。次に、上層インサート形状、基準層インサート形状およびベース層インサート形状は、ラミネータ２９０１によって互いに積層され、粘着性インサート２９０５を生成する。
【００８１】
図１３Ｃは、インサート形状が互いに積層される前に、それらのそれぞれの材料からカットされるが、粘着性インサートの各層が、個々のロータリーダイカッターによって形状にカットされる構成を示している。
【００８２】
図１５Ａ〜図１５Ｄは、上述のプロセスによって形成されることが可能などの粘着性インサート３１０６の追加の実施形態の平面図を示している。図１５Ａ〜図１５Ｄは、ベース部分基層のスリップ防止コンポーネントを受容するための粘着性インサート内の異なる種類の開口を示している。先に論じられた図面の実施形態において、開口は、細長い「リブ状の」スリップ防止コンポーネントを受容するために比較的細長いのに対して、図１５Ａ〜図１５Ｄでは、開口３１０７は、こぶのある「バンプ状」スリップ防止コンポーネントを受容するために、ほぼ円形状を有している。この開口３１０７は、図面に示されるように様々な任意の分布を有している。さらにこの開口の形状は、円形状に限定されるものではないが、長円形、正方形、矩形、あるいは、三角形などの任の形状を有していることが可能である。
【００８３】
図１５Ａ〜図１５Ｄに戻って、取り外しタブ３１００は、粘着性インサートの縁部に設けられている。上記に記述される取り外しタブ２４００と同様に、取り外しタブ３１００は、上記に記述されるようなダイカッティングプロセスの間に粘着性インサートと同じ材料から形成されることが可能であるが、接着剤なく、容易に取り扱うことを可能にする。取り外しタブは、別の方法として、異なる材料から形成され、粘着性インサートに固定されることが可能である。この取り外しタブの位置は、任意である。ベース部分基層は、取り外しタブを受容するために凹部を有していることが可能である。
【００８４】
前の論議において、用語「インサート」は、ベース部分の凹部に挿入、すなわち、受容されるように設計される部材のことを言うのに使用されている。論じられているように、インサートは、上方の粘着性表面（あるいは、これの下面の非粘着性剥離フィルム）を有している材料の単一層であるか、もしくは、複数の分離可能な層を備えることが可能であり、それぞれは、上方の粘着性表面（あるいは、上層の、および、ベース層の下面の非粘着性剥離フィルム）を有している。以下の論議では、用語「インサート」を単一の層形状のことを言うのに使用している。従って、「複数の分離可能な層を備えるインサート」（例えば、図１０Ｄおよび図１０Ｅに示されるように）と上記で呼ばれたことは、以下の論議において、「複数の積み重ねられた、分離可能なインサート」に相当すると理解されるべきである。
【００８５】
インサートが積み重ねられる場合、それらのそれぞれの取り外しタブ（下文では、簡単に「タブ」）が、滑らかな表面を有しているときに１つのインサートを別のインサートから分離することが難しいことがある。これは、タブの表面が滑らかであるとき、それらが粘着性のある誘引力により互いに固着することが多いためである。タブが互いに固着するとき、例えば、それをスタックから分離するために、多量のインサートの最上層のインサートのタブを把握することは難しいことがある。さらに、それをスタックから分離しようとしてインサートを取り扱うとき、互いに固着するタブは、１つ以上のインサートをスタックから不注意に分離させることが多く、材料を無駄にする。このような問題に取り組むためのアプローチが必要とされている。
【００８６】
従って、本発明の実施形態は、１つのタブを別のタブからいっそう容易に分離することができるように、かくして、重なったインサートから個々のインサートをいっそう容易に分離することができるように、インサートのタブに滑らかでないテクスチャを供給すること、あるいは、タブの部分に厚さを加えることに関している。「滑らかでないテクスチャ」は、少なくともタブの表面の部分が、違いを付けられた高さのエリア、すなわち、タブの表面全体と比べて隆起されるか、あるいは、凹部が設けられるかのいずれかであるエリアを含むことを意味し、このため、この部分は実質的に平面でない。例えば、この部分は、タブの表面の残りと比べて「凹凸である」、あるいは、「でこぼこである」と特徴付けられることができる。
【００８７】
１つの実施形態において、滑らかでないテクスチャは、テクスチャード加工のホットローラを使用してタブ材料に当てられることが可能である。より詳細には、先に記述されるように、タブ材料は、ダイカッティングプロセスの間にインサートと同じ材料から形成されることが可能であるが、接着剤なく、タブに使用される材料に当てられる。タブ材料は、滑らかでないテクスチャをタブ材料に用いるために、テクスチャード加工のホットローラの間で圧延されることが可能である（熱成形と呼ばれるプロセス）。「テクスチャード加工の」ローラは、それらの外側に突出部を有しているローラを意味し、このため、ローラからの圧力および熱がタブ材料に印加されるとき、ローラ上の突出部はタブ材料に押しつけられる。この突出部の形状は、任意である。このような作動において、ローラの温度は一般に、材料のガラス転移温度（Ｔｇ）であるか、あるいは、それに近いことが必要とされる。ローラへのタブ材料の送り込み速度、タブ材料に適度に加えられることが可能な圧力の量および熱損失により、ローラは、タブ材料のＴｇ以上の温度に加熱される必要がある。熱成形は、ほぼあらゆる熱可塑性材料を処理することが可能であるが、このプロセスは一般に、ポリエチレンまたはポリプロピレンなどの低いＴｇ材料でより容易である。しかしながら、あらゆる適切な材料は、本発明の範囲内にあり、本発明は、ポリエチレンまたはポリプロピレンの使用に限定されるものではない。
【００８８】
上記されるように、タブ材料は、連続ロールのユニットで大量に製造され、分配されるインサート、すなわち、低密度ポリエチレン、二軸配向ポリプロピレン、あるいは、ポリエステルフィルムと同じ材料から形成されることが可能である。タブ材料における滑らかでないテクスチャを形成することは、各粘着性インサートのための基準材料を作るために接着剤をフィルムに塗布する積層工程前に行われることが可能である。従って、例えば、滑らかでないテクスチャを形成することは、積層工程前の熱成形工程においてフィルムのロール全体を事前処理することによって行われることが可能であるか、あるいは、接着剤を塗布する前のラインのある時点で、積層ラインの一部として熱成形ローラを設定することによって行われることが可能である。接着剤を積層する前に滑らかでないテクスチャをタブ材料に塗布するアプローチは、最も費用効率が高い可能性を秘めている。接着剤が塗布された後に滑らかでないテクスチャを当てると、これにより、この接着剤が十分に制御されない（タブエリアが完全にきれいに保たれない）場合、このローラをベトベトにする恐れがある。
【００８９】
一巻きのロールの材料が、上記に記述されるように処理された後、滑らかでないテクスチャを有しているタブを含む、個々のインサートは、ダイカッティングプロセスでロールからカットされ、積み重ねられることが可能である。別の方法として、複数のウェブは、積み重ねられることが可能であり、次に、インサートのスタックは、積み重ねられたウェブからダイカットされることが可能である。
【００９０】
滑らかでないテクスチャを当てるために熱成形ローラを使用する別の方法として、圧縮ツールが、滑らかでないテクスチャをタブ材料に導入するのに使用されることが可能である。圧縮は、この圧縮ツールが加熱される場合、あるいは、タブ材料が、これの材料のＴｇ近くに加熱される場合、より容易に行われることができる。しかしながら、適切な力がこの圧縮ツールに加えられる場合、加熱は、必ずしも必要とされない。
【００９１】
別の代わりの方法によれば、滑らかでないテクスチャは、一巻きのロールの材料から個々のインサートをダイカットする前か、あるいは、後のいずれかに、タブ材料を加熱したプレスに置くことによって当てられることが可能である。
【００９２】
さらに別の代わりの方法として、滑らかでないテクスチャは、砂、あるいは、砂粒などの粒子をタブ材料の表面にボンド接着することによって、タブ材料に当てられることが可能である。
【００９３】
タブの広がりを促進するためにタブに折り目を導入することは、インサート製造プロセスにおけるある時点で有利な点であり、これはさらに、個々のタブを面倒なく分離させる。
【００９４】
前述の説明を考慮して、結局、本発明の実施形態によるフロアマットインサートは、粘着性エリアと非粘着性エリアとを備え、非粘着性エリアの一部は、インサートを取り扱うためのタブとして形成され、このタブの表面は、非粘着性テクスチャを含んでいる。
【００９５】
滑らかでないテクスチャは、上記に記述されるようにタブ材料の１つの側、あるいは両側に当てられることが可能である。上述のように滑らかでないテクスチャをタブ材料に当てる間に、１つのタブ表面に対する、あるいは、タブ表面の対向する側に対して、隆起したエリア、あるいは、突出部を生成することは明らかであり、この隆起したエリアまたは突出部は、凹部またはくぼみを生じる。
【００９６】
所定の側では、タブの滑らかでないテクスチャは、例えば、小さなバンプ、格子、または、ランダム表面のでこぼこを備えることが可能である。可能な滑らかでないテクスチャのいくつかの例示は、図１６Ａ〜図１６Ｃに示されている。図１６Ａは、ほぼ正方形のバンプ、もしくは、正方形の突出部、あるいは、矩形のバンプ、もしくは、矩形の突出部のパターンの平面図（すなわち、上からの図）を示している。タブ表面の残りに対するバンプの高さは、タブ材料の厚さと所望のテクスチャのでこぼことによって決まる。滑らかでないテクスチャが当てられていないタブ表面のエリアから測定されるバンプの高さは、例えば、熱成形前のタブ材料の厚さの約５％から約５０％である。より詳細には、この高さは、タブ材料の厚さの約１０％から約３０％でよい。平面図に示されるバンプのエリアは、例えば、１つの側で、約０．１ｍｍから約２．０ｍｍの長さに相当する。より詳細には、このエリアは、１つの側で、約０．５ｍｍから約１．０ｍｍの長さに相当する。
【００９７】
図１６Ｂは、ほぼ円形のバンプ、あるいは、突出部のパターンの平面図を示している。タブ表面の残りに対するバンプの高さは、タブ材料の厚さと所望のテクスチャのでこぼことによって決まる。滑らかでないテクスチャが当てられていないタブ表面のエリアから測定されるバンプの高さは、例えば、熱成形前のタブ材料の厚さの約５％から約５０％である。より詳細には、この高さは、タブ材料の厚さの約１０％から約３０％でよい。平面図に示されるバンプのエリアは、例えば、約０．１ｍｍから約２．０ｍｍの直径に相当する。より詳細には、このエリアは、１つの側で、約０．５ｍｍから約１．０ｍｍの直径に相当する。
【００９８】
図１６Ｃは、滑らかでないテクスチャのランダムな配列を示している。これの暗い色のラインは、隆起されるか、あるいは、凹入されるかのいずれかのタブ表面のエリアを示している。タブ表面の残りに対するテクスチャの高さ（あるいは、深さ）は、タブ材料の厚さと所望のテクスチャのでこぼことによって決まる。滑らかでないテクスチャが当てられていないタブ表面のエリアから測定されるテクスチャの高さ（あるいは、深さ）は、例えば、熱成形前のタブ材料の厚さの約５％から約５０％である。より詳細には、この高さ（あるいは、深さ）は、タブ材料の厚さの約１０％から約３０％でよい。平面図に示される隆起したエリア、あるいは、凹部の幅は、例えば、約０．１ｍｍから約２．０ｍｍでよい。より詳細には、この幅は、約０．５ｍｍから約１．０ｍｍでよい。
【００９９】
上記に論じられるように、滑らかでないテクスチャは、タブ材料の１つの側、あるいは、両側に当てられることが可能である。本発明の実施形態によれば、滑らかでないテクスチャがタブの１つの側だけに当てられる場合、この滑らかでないテクスチャは、第１のタブが第２のタブの上に配置されて、この第２のタブ（例えば、大量のインサートにおける）とほぼ整列されるとき、それぞれのタブの滑らかでないテクスチャが、互いにオフセットされるように形成される。これは、下方タブの隆起したエリアは、上方タブの対応する凹部に入れ子状に重ならないように行われ、この入れ子状重なりが、タブを分離することを難しくさせる。
【０１００】
このような配列の例示が図１７に示されている。図１７は、多量のインサートタブ１７００を示している。バンプ１７１０は、頂部タブ１７２０の上面に形成され、従って、バンプ１７１０に対応するくぼみは、反対側の表面に形成される。タブ１７２０下のタブ１７４０に形成されるバンプ１７３０は、バンプ１７１０からオフセットされ、このくぼみに入れ子状に重なることを回避する。同様に、タブ１７４０の下のタブ１７６０のバンプ１７５０は、バンプ１７３０からオフセットされる。３つのタブの例示は、図１７に示されているが、オフセットした滑らかでないテクスチャのパターンは、任意の数の多量のインサートの端から端まで繰返されることが可能である。
【０１０１】
上述されるようなオフセットした滑らかでないテクスチャを形成することは、熱成形プロセスにおいて、入れ子状重なりがタブの積み重ね時に生じないように、頂部ローラと底部ローラを方向付けることによって容易に達成されることが可能である。別の可能性は、近接したタブに異なる滑らかでないテクスチャパターンを使用することであり、このために、入れ子状重なりは、起こらない。例えば、多量のインサートにおいて、図１６Ａおよび図１６Ｂにおけるように、規則的なパターンの滑らかでないテクスチャを有しているタブは、図１６Ｃにおけるように、ランダムに配列した滑らかでないテクスチャを有しているタブと交互にされることが可能である。別の方法として、あるいは、追加の方法として、近接したタブは、それらの対面する表面両方が、互いに隆起したエリアだけを有しているか、あるいは、互いに凹部だけを有しているように配置されることが可能であり、このために、入れ子状重なりは起こらない。
【０１０２】
図１８Ａ〜図１８Ｃは、多量のインサートにおけるタブを互いから分離することを容易に促進する本発明の別の実施形態を示している。図１８Ａ〜図１８Ｃは、インサートの粘着性部分から延在するインサートタブの側面図である。図１８Ａ〜図１８Ｃにおいて、タブ１８１０のそれぞれは、第１の部分と第２の部分とを有し、第１の部分は第２の部分よりも厚い。実施形態によれば、第１の厚い部分は、タブ材料の表面に加えられるセパレータ材料１８２０によって形成されることができる。このセパレータ材料により、タブの第２の薄い部分（すなわち、追加したセパレータ材料を有さない部分）を近接したタブの第２の薄い部分から分離させる。それにより、タブが互いにほぼ整列される多量のインサートにおいて、第１の厚い部分が、近接したタブの第２の薄い部分の間にスペースを生成し、タブの容易な分離を可能にする。言い方を換えると、本発明によれば、タブの第１の部分は、タブの第２の部分よりも厚く、このため、第１のタブが第２のタブの上に配置されて、第２のタブとほぼ整列され、第１のタブの第２の部分は、第２のタブの第２の部分から分離される。
【０１０３】
セパレータ材料が配置される場所は、任意である。例えば、図１８Ａは、タブ１８１０の外側縁部と面一であるセパレータ材料１８２０を示している、図１８Ｂは、タブ１８１０のほぼ中央に位置するセパレータ材料１８２０を示している。図１８Ｃは、インサートの表面が粘着性となるライン１８４０によって境界が規定される領域に近接して位置するセパレータ材料を示している。
【０１０４】
実施形態によれば、セパレータ材料は、タブと同じ材料から形成されることが可能である。例えば、このセパレータ材料は、タブにボンド接着される追加のフィルム層でよい。別の方法として、セパレータ材料は、タブと異なる材料から形成され、タブにボンド接着されることが可能である。いずれの場合にも、ボンド接着は、接着剤で行われる、熱により、あるいは、化学的に行われる、あるいは、１つのステープルまたは複数のステープルなどのファスナーで行われることが可能である。別の代わる方法として、セパレータ材料は、ステープル、グロメット、リベット、あるいは、タブにバンプ、あるいは、突出部を形成する手段でよい。このようなステープル、グロメット、リベット、あるいは、バンプを形成する他の手段は、例えば、プラスチック、ゴム、あるいは、メタルでよい。
【０１０５】
実施形態によれば、セパレータ材料は、多量のインサートにおいてタブを互い違いにするために加えられることが可能である。セパレータ材料には、色などのいくつかの種類の目に見える指示部が、選択されたタブに、例えば、多量のインサートにおける次のタブから最後のタブ、あるいは、最後のタブに設けられることが可能である。あるいは、セパレータ材料は、いくつかの種類の構造的指示部、あるいは、目に見える指示部を介して、各タブを別のタブから違いをつけるように配置されることが可能である。例えば多量のインサートにおけるタブは、互い違いにする色を有していることが可能か、あるいは、それぞれが、異なる色を有していることが可能である。多量のインサートにおける各タブは、例えば、（１，２，３．．．）、あるいは、（Ａ，Ｂ，Ｃ．．．）などの認められたシーケンスで、符号付けされるか、あるいは、文字が書き入れられることが可能である。
【０１０６】
別の実施形態において、各タブは、図１９Ａに示されるように、タブの外側縁部を越えて突出する延長部を有していることが可能である。図１９Ａは、タブ１９００〜１９０５を示し、それぞれは、それぞれの延長部１９００１Ｅ、１９０１Ｅなどを有している。この延長部は、第１のタブが第２のタブの上に配置され、この第２のタブとほぼ整列されるとき、それぞれのタブの延長部は、互いにオフセットされるように配置されることが可能である。図１９Ｂは、前述のことを示している。図１９Ｂは、例えば、多量のインサートに生じるように、互いにほぼ整列するように配置されるタブ１９００〜１９０５を示している。各タブのそれぞれの延長部１９００Ｅ〜１９０５Ｅは、これに反して、他の延長部からオフセットされている。図１９Ａと図１９Ｂとに示されるようなタブ延長部は、例えば、ダイカットすることによって、あるいは、独立したプロセスで、この延長部をタブに追加することによって、形成されることが可能である。タブ延長部は、タブと同じ材料から、あるいは、タブと異なる材料から形成されることが可能である。
【０１０７】
別の実施形態によれば、熱は、タブが互いに対して縮むか、あるいは、膨張するようにタブに加えられることが可能である。このようにタブ間の違いは、タブの容易な分離を可能とする。１つの実施形態において、熱は、類似の材料および厚さのタブに加えられることが可能であるが、加えられる熱の程度および期間は、タブ間で変えられることが可能である。すなわち、第１のタブは、それに加えられる第１の程度および期間の熱を有しているのに対して、第２のタブは、それに加えられる第１のものとは異なる第２の程度および期間を有していることが可能である。第１のタブと第２のタブとに加えられる熱の程度および期間の相違により、それらは、それぞれに対して膨張するか、あるいは、縮むかである。従って、第１のタブおよび第２のタブが、多量のインサートにおいて互いに近接して配置される場合、それらは、異なるサイズを有しているので、互いに容易に分離される。
【０１０８】
別の方法として、タブは、類似の材料だが、異なる厚さで形成され、同じ程度および期間の熱が、タブに加えられることが可能である。すなわち、第１のタブは、第１の厚さを有していることが可能である。第２のタブは、第１のものとは異なる第２の厚さを有していることが可能であり、同じ程度および期間の熱が、第１のタブと第２のタブとに加えられることが可能である。第１のタブと第２のタブとの厚さにおける相違のために、それらは、それぞれに対して膨張するか、あるいは、縮むかである。従って、第１のタブおよび第２のタブが多量のインサートにおいて互いに近接して配置される場合、それらは、異なるサイズを有しているために、互いに容易に分離される。
【０１０９】
別の代わる方法によれば、タブは、類似の材料で形成されるが、異なるフィルム延伸性を有している「フィルム延伸」は、分子レベルのフィルムの特性のことを言う；例えば、分子レベルで、フィルムは、例えば、「双方向付けされる」、あるいは、「双作動がされる」ことができる。当業者には周知であるように、異なる延伸性を有しているフィルムは、異なって熱に反応する。例えば、第１の延伸性を有しているフィルムは、熱がそれに加えられるとき、第１のものと異なる第２の延伸性を有しているフィルムとは異なる方向にに膨張する、あるいは、縮む傾向を有しているフィルム延伸のこの特性は、タブ間に違いを導入するのに有効である。従って、本発明の実施形態によれば、第１のタブは、第１のフィルム延伸性を有している第２のタブは、第１のものとは異なる第２のフィルム延伸性を有し、同じ程度および期間の熱が第１のタブと第２のタブとに加えられることが可能である。第１のタブと第２のタブとのフィルム延伸における相違のために、それらは、それぞれに対して膨張するか、あるいは、縮むかである。従って、第１のタブおよび第２のタブが多量のインサートにおいて互いに上に配置される場合、それらは、異なるサイズを有しているので、互いに容易に分離する。
【０１１０】
さらに別の方法において、タブは、全く異なる材料で作られることが可能である。例えば、第１のタブは、ポリプロピレンで作られるのに対して、第２のタブは、ナイロンで作られた。同じ程度および期間の熱が、第１のタブと第２のタブとに加えられることが可能である。材料における相違のために、第１のタブおよび第２のタブは、互いに対して縮む。従って、第１のタブおよび第２のタブは、多量のインサートにおいて互いに近接して配置される場合、それらは異なるサイズを有しているので、互いに容易に分離する。さらに、タブは異なる材料で作られるが、ほぼ同じ厚さを有し、加えられる熱の程度および期間は、上記に記述されるように、タブ間で変えられることが可能である。これにより、さらに、サイズに違いが付けられるタブを結果として生じる。
【０１１１】
上述の方法の工程のいずれもが、タブ間の違いを達成するためにあらゆる組合せで行われることが可能であることは理解されるべきである。例えば、タブは、類似の材料であるが、異なる厚さであり、異なる程度および期間の熱がそれぞれのタブに加えられることが可能である。あるいは、タブは、異なるフィルム延伸性を有している類似の材料で作られ、異なる程度および期間の熱が、それぞれのタブに加えられることが可能である。さらに、このうえ、タブは異なる材料および異なる厚さで作られることが可能であり、異なる程度および期間の熱が、それぞれのタブに加えられることが可能である。
【０１１２】
開示した実施形態のすべては、本発明が実施されることができる様々な方法の例示である。このうえ、開示した実施形態のいずれもは、本発明のあらゆる実施形態と組合されることができ、本発明は、開示される特定の組合された実施形態だけに限定されるものではない。他の実施形態は、本発明の精神と範囲とから逸脱することなく、当業者によって実施されることが可能である。
【図面の簡単な説明】
【０１１３】
【図１】本発明の実施形態によるフロアマットの斜視図である。
【図２】図１のフロアマットの分解斜視図である。
【図３】本発明のフロアマットの別の実施形態の分解側面図である。
【図４】本発明のフロアマットの別の実施形態の分解側面図である。
【図５】本発明のフロアマットのためのスリップ防止機構を有している粘着性インサート部分のための第３の別の実施形態を示している。
【図６】本発明のフロアマットのためのスリップ防止機構を有している粘着性インサート部分のための第４の別の実施形態を示している。
【図７】図６のスリップ防止機構を有している粘着性インサート部分の実施形態の側面図である。
【図８】本発明のフロアマットのためのスリップ防止機構を有している粘着性インサート部分の第５の実施形態の斜視図である。
【図９Ａ】本発明の実施形態によるフロアマットの部分の断面図である。
【図９Ｂ】本発明の実施形態によるフロアマットの分解図である。
【図１０Ａ】フロアマットの非粘着性層の分離できる部分を示し、この分離できる部分をフロアマットのベース部分基層に取り付けるためのスナップファスナーを有している。
【図１０Ｂ】フロアマットの非粘着性層の分離できる部分を示し、この分離できる部分をフロアマットのベース部分基層に取り付けるためのフック・アンド・ループ式のファスナーを有している。
【図１０Ｃ】フロアマットの粘着性インサートの取り外しタブのための１つの可能な構成を示している。
【図１０Ｄ】２つの異なる可能な構成による複数の取り外しタブの側面図である。
【図１０Ｅ】２つの異なる可能な構成による複数の取り外しタブの側面図である。
【図１１Ａ】複数層の粘着性インサートの１つの可能な実施形態における層の詳細を示している。
【図１１Ｂ】１つの可能な実施形態による、粘着性インサートの層に接着剤で散在されるスリップ防止材料を示している。
【図１１Ｃ】１つの可能な実施形態による、粘着性インサートの層に接着剤で散在されるスリップ防止材料を示している。
【図１２】本発明による粘着性のインサートを製造するための３つの別のプロセスを示している。
【図１３Ａ】図２８に示されるプロセスにより粘着性インサートを製造する装置の別の構成を示している
【図１３Ｂ】図２８に示されるプロセスにより粘着性インサートを製造する装置の別の構成を示している
【図１３Ｃ】図２８に示されるプロセスにより粘着性インサートを製造する装置の別の構成を示している
【図１４】図１２および図１３Ａ〜図１３Ｃに記述されるプロセスに使用されることが可能なロータリーダイカッターの詳細を示している。
【図１５Ａ】粘着性インサートの別の実施形態を示し、この粘着性インサートが、こぶのあるスリップ防止コンポーネントを受容するように構成された開口を有している。
【図１５Ｂ】粘着性インサートの別の実施形態を示し、この粘着性インサートが、こぶのあるスリップ防止コンポーネントを受容するように構成された開口を有している。
【図１５Ｃ】粘着性インサートの別の実施形態を示し、この粘着性インサートが、こぶのあるスリップ防止コンポーネントを受容するように構成された開口を有している。
【図１５Ｄ】粘着性インサートの別の実施形態を示し、この粘着性インサートが、こぶのあるスリップ防止コンポーネントを受容するように構成された開口を有している。
【図１６Ａ】インサートタブのための滑らかでないテクスチャの様々な可能な実施形態を示している。
【図１６Ｂ】インサートタブのための滑らかでないテクスチャの様々な可能な実施形態を示している。
【図１６Ｃ】インサートタブのための滑らかでないテクスチャの様々な可能な実施形態を示している。
【図１７】近接したタブのための滑らかでないテクスチャをオフセットすることを示している。
【図１８Ａ】インサートタブの別の実施形態を示している。
【図１８Ｂ】インサートタブの別の実施形態を示している。
【図１８Ｃ】インサートタブの別の実施形態を示している。
【図１９Ａ】インサートタブのさらに別の実施形態を示している。
【図１９Ｂ】インサートタブのさらに別の実施形態を示している。
【図１】
2005511183.tif 000003
【図２】
2005511183.tif 000004
【図３】
2005511183.tif 000005
【図４】
2005511183.tif 000006
【図５】
2005511183.tif 000007
【図６】
2005511183.tif 000008
【図７】
2005511183.tif 000009
【図８】
2005511183.tif 000010
【図９Ａ】
2005511183.tif 000011
【図９Ｂ】
2005511183.tif 000012
【図１０Ａ】
2005511183.tif 000013
【図１０Ｂ】
2005511183.tif 000014
【図１０Ｃ】
2005511183.tif 000015
【図１０Ｄ】
2005511183.tif 000016
【図１０Ｅ】
2005511183.tif 000017
【図１１Ａ】
2005511183.tif 000018
【図１１Ｂ】
2005511183.tif 000019
【図１１Ｃ】
2005511183.tif 000020
【図１２】
2005511183.tif 000021
【図１３Ａ】
2005511183.tif 000022
【図１３Ｂ】
2005511183.tif 000023
【図１３Ｃ】
2005511183.tif 000024
【図１４】
2005511183.tif 000025
【図１５Ａ】
2005511183.tif 000026
【図１５Ｂ】
2005511183.tif 000027
【図１５Ｃ】
2005511183.tif 000028
【図１５Ｄ】
2005511183.tif 000029
【図１６Ａ】
2005511183.tif 000030
【図１６Ｂ】
2005511183.tif 000031
【図１６Ｃ】
2005511183.tif 000032
【図１７】
2005511183.tif 000033
【図１８Ａ】
2005511183.tif 000034
【図１８Ｂ】
2005511183.tif 000035
【図１８Ｃ】
2005511183.tif 000036
【図１９Ａ】
2005511183.tif 000037
【図１９Ｂ】
2005511183.tif 000038
【国際調査報告】
2005511183.tif 000039
2005511183.tif 000040
2005511183.tif 000041